(57)【特許請求の範囲】
【請求項１】
浴槽の外面に設けられ、その一部に、浴槽の外面に取り付けられる浴槽取り付け部材との干渉を避ける開口が形成される浴槽断熱材であって、浴槽断熱材の前記開口を形成するための切除部分の周囲の一部に、その周囲の非切除部分から容易に切除するための薄肉部を形成すると共に、切除部分の周囲の残りの部分を、切除部分と非切除部分とに分離して互いに勘合する勘合部として成ることを特徴とする浴槽断熱材。
【発明の詳細な説明】
【技術分野】
【０００１】
本発明は浴湯の温度低下を抑えることができる浴槽断熱材に関する。
【背景技術】
【０００２】
従来、浴槽内に貯留された浴湯の保温を目的として、浴槽の周壁部の外面にＥＰＳ（発泡ポリスチレン）等の合成樹脂発泡体からなる浴槽断熱材を配置してなるものが知られている（例えば特許文献１）。浴槽断熱材２は、浴槽１の外面に設けられるもので、図４に示す従来例では、浴槽断熱材２は略同大同形に形成された上方に開口する椀状の部材であって、内部に浴槽１を収容するようになっている。
【０００３】
そして施工現場において、浴槽１の外面には水栓金具等の浴槽取り付け部材を取り付けもので、これにあたり、浴槽断熱材２の前記取り付け部材が取り付けられる部分に開口を形成しなければならないが、図５に示すように浴槽断熱材２は厚みが２０〜４０ｍｍ程であって、浴槽断熱材２を切除して開口を形成する作業に手間がかかっていた。
【０００４】
そこで、前記開口を形成するために浴槽断熱材２を切除する部分の周囲を予め薄肉に形成することで、施工現場にて薄肉部６を容易に切断させることができて、浴槽断熱材２の切除部分４の切除作業の作業性を向上させることが可能となった。これにあたっては、製造の段階で、開口することとなり得る複数の部分の周囲に薄肉部６を形成しておき、施工現場に応じて前記複数の薄肉部６のうちの任意の薄肉部６を切断させて、その内部の浴槽断熱材２を切除して開口を形成していた。また、複数の薄肉部６のうち切断した薄肉部６以外の残りの薄肉部６は切断させず、その内部の浴槽断熱材２を残して使用するものであった。
【特許文献１】特開２００６−１１０１９９号公報
【発明の開示】
【発明が解決しようとする課題】
【０００５】
しかしながらこの場合、浴槽断熱材２の搬送中等に、薄肉部６に囲まれて容易に切除可能となった部分に力がかかったりすると、容易に薄肉部６が破断して、意に反してその内部の浴槽断熱材２が切除されてしまうものであった。
【０００６】
本発明は上記従来の問題点に鑑みて発明したものであって、その目的とするところは、浴槽断熱材の切除部分の周囲に薄肉部を形成するものにおいて、切除部分に力がかかって薄肉部が切断されて意に反して切除部分が切除されてしまうのを防止する浴槽断熱材を提供することを課題とするものである。
【課題を解決するための手段】
【０００７】
上記課題を解決するために請求項１に係るにあっては、浴槽１の外面に取り付けられ、その一部に、浴槽１の外面に設けられる浴槽取り付け部材との干渉を避ける開口が形成される浴槽断熱材２であって、浴槽断熱材２の前記開口を形成するための切除部分４の周囲の一部に、その周囲の非切除部分５から容易に切除するための薄肉部６を形成すると共に、切除部分４の周囲の残りの部分を、切除部分４と非切除部分５とに分離して互いに勘合する勘合部７として成ることを特徴とするものである。
【０００８】
このような構成とすることで、切除部分４に力がかかっても、非切除部分５の勘合部７にて力を受けることができて、意に反して薄肉部６が切断されて切除部分４が切除されてしまうのを防止することが可能となる。
【発明の効果】
【０００９】
本発明にあっては、浴槽断熱材の切除部分の周囲の一部に薄肉部を形成して、切除作業の作業の作業性を向上させるものでありながら、切除部分の周囲の残りの部分を勘合部としてあるため、切除部分に力がかかっても意に反して切除部分が切除されてしまうのを防止することができる。
【発明を実施するための最良の形態】
【００１０】
以下、本発明の一実施形態について図１、図２に基づいて説明する。
【００１１】
浴槽１はＦＲＰ製又はアクリル系樹脂製の浴槽１を備えており、該浴槽１は上方に開口した平面視略楕円形の椀状に形成されている。浴槽１の上縁からは外側に向けて鍔部を突設してあり、該鍔部上には浴槽１の上開口を閉塞する風呂蓋（図示せず）が載置されている。
【００１２】
上記浴槽１の周壁部の外面及び底壁部の下面からなる浴槽１の外面は、発泡ポリスチレン、発泡ポリウレタン、発泡フェノール等（本実施形態では発泡ポリスチレン）の合成樹脂発泡体や、グラスウール等の内部に空気泡や空気層を備えた断熱性の高い浴槽断熱材２にて覆われて外部への放熱が抑えられており、該浴槽断熱材２は内面が浴槽１の外面と略同大同形に形成された上方に開口する椀状の部材であって、その内側に浴槽１の略全体を収納している。浴槽断熱材２の底壁部の厚みは周壁部の厚みよりも小さくしてあり、具体的には浴槽断熱材２の底壁部の厚み及び周壁部の厚みは通常１０ｍｍ〜３０ｍｍで、本実施形態では２０ｍｍである。なお浴槽断熱材２の材質は上記に限定されるものではなく、真空断熱材ではない断熱材であれば良いものとする。またなお浴槽断熱材２は、本実施形態では上方に開口する椀状の部材であるが、分割されて各部位が浴槽１の外面の広い領域に亘って設置するものであってもよい。
【００１３】
浴槽１にはその外面に、追い焚き用の配管のアダプタや水栓金具等の浴槽取り付け部材（図示せず）が取り付けられるもので、これにあたり、浴槽断熱材２の前記取り付け部材が取り付けられる部分に、浴槽取り付け部材との干渉を避けるための開口が形成される。
【００１４】
そして、前記開口を容易に形成するために、浴槽断熱材２の前記開口を形成するための切除部分４の周囲の一部に、その周囲の非切除部分５から容易に切除するための薄肉部６を形成する。そして更に、薄肉部６が切断されて切除部分４が容易に切除されてしまうのを防止するために、切除部分４の周囲の残りの部分を、切除部分４と非切除部分５とに分離して互いに勘合する勘合部７とするものである。
【００１５】
薄肉部６は、浴槽断熱材２のその他の部分の厚みが２０ｍｍであるのに対して、厚みが５ｍｍで、切除部分４と非切除部分５とを繋いでいる。本実施形態では、切除部分４は正面視略矩形状をしており、その周囲四辺のうち三辺（本実施形態では上辺及び左右両辺）に薄肉部６を形成している。そして、残りの一辺（本実施形態では下辺）を勘合部７としてある。
【００１６】
勘合部７は、切除部分４と非切除部分５とが互いに勘合する形状となっており、本実施形態では、切除部分４の下端の浴槽１側半部が下方に突出し、前記切除部分４の上端に対向する非切除部分５の上端の浴槽１側と反対側半部が上方に突出して、互いに相じゃくり状に勘合している。また、図に示すように、切除部分４の下端の浴槽１側と反対側半部が下方に突出し、前記切除部分４の上端に対向する非切除部分５の上端の浴槽１側半部が上方に突出して、互いに相じゃくり状に勘合してもよい。
【００１７】
これにより、切除部分４に力がかかった際、非切除部分５の勘合部７にて力を受けることができて、薄肉部６が切断されて意に反して切除部分４が切除されてしまうのを防止することが可能となる。
【図面の簡単な説明】
【００１８】
【図１】本発明の一実施形態の要部断面図である。
【図２】同上の浴槽断熱材を設けた浴槽全体の正面図である。
【図３】同上における他例の要部断面図である。
【図４】従来例の浴槽断熱材を設けた浴槽全体の正面図である。
【図５】同上の要部断面図である。
【符号の説明】
【００１９】
１  浴槽
２  浴槽断熱材
３  開口
４  切除部分
５  非切除部分
６  薄肉部
７  勘合部
【図１】
0004877269.tif 000002
【図２】
0004877269.tif 000003
【図３】
0004877269.tif 000004
【図４】
0004877269.tif 000005
【図５】
0004877269.tif 000006